(57)【特許請求の範囲】
【請求項１】
音声信号を増幅する演算増幅器と、前記演算増幅器の電源端子に電源電圧（ＶＣＣ）を供給する電源回路と、前記演算増幅器のバイアス端子に入力される出力段のバイアスレベル(電圧Ｖｂ)を決定する電源の立上り速度を制御する制御手段と、前記演算増幅器に供給する電源回路を開閉する手段と、消音時に前記電源回路を開閉する信号を生成する信号生成手段と、前記演算増幅器の電源端子に電源電圧（ＶＣＣ）が供給されるまでの間に前記演算増幅器の電源端子電圧（ＶＣＭ）と前記演算増幅器の出力バイアス電圧を同レベルに保持する手段とを備え、
前記保持する手段は、前記演算増幅器の電源端子と前記電源回路との間に配設され前記信号生成手段から出力される信号により開閉される単一のスイッチ回路と前記演算増幅器の電源端子と前記バイアス端子間に挿入配設されたダイオードで構成され、
前記電源回路の電源電圧（ＶＣＣ）の立上がり時において、
前記制御手段により立上り速度が制御され前記演算増幅器のバイアス端子に供給されるバイアス電圧が前記所定のバイアスレベル(電圧Ｖｂ)になるまでの間、
前記信号生成手段から出力される信号により前記単一のスイッチ回路をオフにし、
前記演算増幅器のバイアス端子電圧と同電位に立上がる前記出力端子電圧（Ｖｏ）と前記演算増幅器の電源端子電圧（ＶＣＭ）を前記ダイオードを介して前記バイアス端子電圧と同レベルに保持し、
前記バイアス電圧が前記所定のバイアスレベル(電圧Ｖｂ)になった後に前記信号生成手段から前記単一のスイッチ回路をオンにする信号が出力されるようにした
ことを特徴とする音声増幅器の消音装置。
【請求項２】
演算増幅器に供給される電源（ＶＣＣ）が片電源である請求項１に記載の音声増幅器の消音装置。
【発明の詳細な説明】
【０００１】
【発明の属する技術分野】
本発明は、演算増幅器を使用した音声増幅器の機器の起動、停止及び入力信号の切り替え等の際に発生する過渡的な異音の出力を防止する消音装置に関するものである。
【０００２】
【従来の技術】
近年、安価で性能のよい汎用の演算増幅器の入手が容易になり、音響製品にも音声増幅器として多く使われるようになった。また、このような機器に使われる電源も、ＡＣアダプタ−や電池動作への対応で片電源の場合が多くある。
【０００３】
以下に従来の音声増幅器の消音装置について説明する。
図３は従来の音声増幅器の消音装置の回路構成を示すものである。図３において、１は演算増幅器である。２はリレ−スイッチで４の消音信号発生回路で生成される信号（Ｖｍ）によって開閉される。３は外部機器への出力端子である。
【０００４】
以上のように構成された音声増幅器の消音装置について、以下その動作について説明する。
【０００５】
まず、演算増幅器１に電源（ＶＣＣ）が供給されると演算増幅器１はその反転入力端子に入力された音声信号の増幅を開始するが、一般的に演算増幅器を片電源で使用する場合、電源電圧（ＶＣＣ）と出力バイアス電圧を決定する非反転入力の電圧（Ｖｂ）を接地電位から同時に立ち上げると、この演算増幅器の出力電圧（Ｖｏ）の急激な変化が異音となって出力される。
【０００６】
また、機器のシステム全体の機動、停止時には音声回路にも雑音が発生することが多いので、出力回路にリレ−スイッチ２を挿入して機器の安定動作時のみこのリレ−スイッチ２を消音信号発生回路４で生成した消音信号（Ｖｍ）によってＯＮすることで出力端子３にこれらの異音、雑音を出力しないようにしていた。
【０００７】
図４に従来の音声増幅器の消音装置の電源、入出力及び消音信号のタイミングを示す。
【０００８】
【発明が解決しようとする課題】
しかしながら上記の従来の構成では、リレ−スイッチという高価で大型の部品を使わなければならないという問題点を有していた。
【０００９】
本発明は上記従来の問題点を解決するもので、安価で、小型の音声増幅器の消音装置を提供することを目的とする。
【００１０】
【課題を解決するための手段】
この目的を達成するために本発明の音声増幅器の消音装置は、音声信号を増幅する演算増幅器と、前記演算増幅器の電源端子に電源電圧（ＶＣＣ）を供給する電源回路と、前記演算増幅器のバイアス端子に入力される出力段のバイアスレベル(電圧Ｖｂ)を決定する電源の立上り速度を制御する制御手段と、前記演算増幅器に供給する電源回路を開閉する手段と、消音時に前記電源回路を開閉する信号を生成する信号生成手段と、前記演算増幅器の電源端子に電源電圧（ＶＣＣ）が供給されるまでの間に前記演算増幅器の電源端子電圧（ＶＣＭ）と前記演算増幅器の出力バイアス電圧を同レベルに保持する手段とを備え、
前記保持する手段は、前記演算増幅器の電源端子と前記電源回路との間に配設され前記信号生成手段から出力される信号により開閉される単一のスイッチ回路と前記演算増幅器の電源端子と前記バイアス端子間に挿入配設されたダイオードで構成され、
前記電源回路の電源電圧（ＶＣＣ）の立上がり時において、
前記制御手段により立上り速度が制御され前記演算増幅器のバイアス端子に供給されるバイアス電圧が前記所定のバイアスレベル(電圧Ｖｂ)になるまでの間、
前記信号生成手段から出力される信号により前記単一のスイッチ回路をオフにし、
前記演算増幅器のバイアス端子電圧と同電位に立上がる前記出力端子電圧（Ｖｏ）と前記演算増幅器の電源端子電圧（ＶＣＭ）を前記ダイオードを介して前記バイアス端子電圧と同レベルに保持し、
前記バイアス電圧が前記所定のバイアスレベル(電圧Ｖｂ)になった後に前記信号生成手段から前記単一のスイッチ回路をオンにする信号が出力されるようにしたことを特徴とするものである。
【００１１】
この構成によって、該演算増幅器は、電源と出力バイアス電圧の立上がり時間が制御されることで、機器の安定動作時のみ音声信号を出力させることができ、また、該演算増幅器の出力電圧を緩やかに立上げることによって異音を出力させないようにすることができる。
【００１２】
【発明の実施の形態】
以下本発明の一実施例について、図面を参照しながら説明する。
【００１３】
図１において、１は演算増幅器、３は出力端子、４は消音信号生成回路、５はＮＰＮトランジスタ、６はコンデンサ、７はダイオ−ド、８はＰＮＰトランジスタ、９、１０、１１は抵抗器である。
【００１４】
以上のように構成された音声増幅器の消音装置について、図２を用いてその動作を説明する。
【００１５】
まず、機器の電源（ＶＣＣ）が立ち上がるとＮＰＮトランジスタ５がＯＮして演算増幅器１の非反転入力にバイアス（Ｖｂ）が供給される。同時に、抵抗器１１によって出力端子（Ｖｏ）もＶｂまで上がる。このＶｂはコンデンサ６が充電される時間内で徐々に立上がる。このときダイオ−ド７を通じて演算増幅器１の電源（ＶＣＭ）もほぼＶｂと同電位まで立上がる。コンデンサ６がないとＶｂが急速に立上がって演算増幅器の出力（Ｖｏ）も急激に変化するため、この電圧変動が出力端子３に異音となって出力される。
【００１６】
この時点で演算増幅器１は電源電圧（ＶＣＭ）が、バイアス電圧Ｖｂと同電位まで立上がるが、出力電圧（Ｖｏ）も前記バイアス電圧Ｖｂと同電位であるから、前記演算増幅器１の電源電圧（ＶＣＭ）と出力電圧（Ｖｏ）は共に前記バイアス電圧Ｖｂと同電位に固定されるので、出力電圧（Ｖｏ）−電源電圧（ＶＣＭ）＝０であり、出力端子からの出力がない状態で前記演算増幅器１は能動にならず、また、反転入力に雑音が入っても抵抗器11の値が抵抗器９＋10の値に比べて十分小さければＶｂに終端されて出力されない。
【００１７】
その後、消音信号生成回路４から出力される消音信号（Ｖｍ）によってＰＮＰトランジスタ８をＯＮさせることで演算増幅器１の電源（ＶＣＭ）がＶＣＣまで上がって通常の音声増幅器となる。能動状態の演算増幅器の出力インピ−ダンスはほぼ０なので、抵抗器11の値は出力レベルには無関係になる。
【００１８】
また、機器の電源が立下がるときにも、まず消音信号（Ｖｍ）によってＰＮＰトランジスタ８をＯＦＦさせることで立上がり時と同様の消音が可能になる。
【００１９】
図２に本実施例の音声増幅器の消音装置の電源、入出力及び消音信号のタイミングを示す。
【００２０】
以上のように本実施例によれば、音声信号を増幅する演算増幅器と、該演算増幅器に入力される出力段のバイアスレベルを決定する電源の立上り速度を制御する手段と、該演算増幅器に供給する電源回路を開閉する手段と、消音時に該電源回路を開閉する信号を生成する手段と、該演算増幅器に電源が供給されるまでの間に該演算増幅器の電源端子と出力バイアス電圧を同レベルに保持する手段とを備え、演算増幅器の電源端子と出力バイアス電圧を制御することにより、安価で小型の音声増幅器の消音装置を実現することができる。
【００２１】
なお、本実施例において演算増幅器に入力される出力段のバイアスレベルを決定する電源を供給する手段はＮＰＮトランジスタ５としたが、ＮＰＮトランジスタ５は演算増幅器をリップル成分の除去を兼ねた電流増幅器として用いてもよい。
【００２２】
【発明の効果】
以上のように本発明は、音声信号を増幅する演算増幅器と、前記演算増幅器の電源端子に電源電圧（ＶＣＣ）を供給する電源回路と、前記演算増幅器のバイアス端子に入力される出力段のバイアスレベル(電圧Ｖｂ)を決定する電源の立上り速度を制御する制御手段と、前記演算増幅器に供給する電源回路を開閉する手段と、消音時に前記電源回路を開閉する信号を生成する信号生成手段と、前記演算増幅器の電源端子に電源電圧（ＶＣＣ）が供給されるまでの間に前記演算増幅器の電源端子電圧（ＶＣＭ）と前記演算増幅器の出力バイアス電圧を同レベルに保持する手段とを備え、
前記保持する手段は、前記演算増幅器の電源端子と前記電源回路との間に配設され前記信号生成手段から出力される信号により開閉される単一のスイッチ回路と前記演算増幅器の電源端子と前記バイアス端子間に挿入配設されたダイオードで構成され、
前記電源回路の電源電圧（ＶＣＣ）の立上がり時において、
前記制御手段により立上り速度が制御され前記演算増幅器のバイアス端子に供給されるバイアス電圧が前記所定のバイアスレベル(電圧Ｖｂ)になるまでの間、
前記信号生成手段から出力される信号により前記単一のスイッチ回路をオフにし、
前記演算増幅器のバイアス端子電圧と同電位に立上がる前記出力端子電圧（Ｖｏ）と前記演算増幅器の電源端子電圧（ＶＣＭ）を前記ダイオードを介して前記バイアス端子電圧と同レベルに保持し、
前記バイアス電圧が前記所定のバイアスレベル(電圧Ｖｂ)になった後に前記信号生成手段から前記単一のスイッチ回路をオンにする信号が出力されるようにしたものであり、
前記保持する手段は、消音信号により開閉される単一のスイッチ回路とダイオードとで構成されていることにより、安価で小型の音声増幅器の消音回路を実現するものである。
【図面の簡単な説明】
【図１】本実施例の音声増幅器の消音装置の回路構成図
【図２】本実施例の音声増幅器の消音装置の動作説明のための電源、入出力及び消音信号のタイミング図
【図３】従来の音声増幅器の消音装置の回路構成図
【図４】従来の音声増幅器の消音装置の動作説明のための電源、入出力及び消音信号のタイミング図
【符号の説明】
１  演算増幅器
２  リレ−スイッチ
３  出力端子
４  消音信号生成回路
５  ＮＰＮトランジスタ
６  コンデンサ
７  ダイオ−ド
８  ＰＮＰトランジスタ
９、１０、１１  抵抗器
【図１】
0003785682.tif 000002
【図２】
0003785682.tif 000003
【図３】
0003785682.tif 000004
【図４】
0003785682.tif 000005